(57)【要約】【課題】本発明は、フィルム検査技術に関するものであって、所定方向に移送されるフィルムの外観を検査するフィルム検査装置及び方法に関する。【解決手段】本発明は、サポートボディと、前記サポートボディと結合され、第１軸方向に移送されるフィルムの下部で前記フィルムを支持する少なくとも一つのサポートロールとを備えるフィルム検査装置に関する。【選択図】図１
2015129754.tif 000002
【特許請求の範囲】
【請求項１】
サポートボディと、前記サポートボディと結合され、第１軸方向に移送されるフィルムの下部で前記フィルムを支持する少なくとも一つのサポートロールとを備える、フィルム検査装置。
【請求項２】
前記フィルム検査装置は、前記サポートロールを第１軸方向に移動させる第１軸移動部と、前記サポートロールを前記第１軸方向と垂直する第２軸方向に移動させる第２軸移動部と、前記サポートロールを前記第１軸方向及び前記第２軸方向とそれぞれ垂直する第３軸方向に移動させる第３軸移動部とを備える、請求項１に記載のフィルム検査装置。
【請求項３】
前記第１軸移動部は、前記第１軸方向に沿って形成され、支持部の一側が前記第１軸方向に沿って移動可能に結合される第１のガイド部と、前記支持部を前記第１のガイド部に沿って移動させる第１の駆動部とを備える、請求項２に記載のフィルム検査装置。
【請求項４】
前記第２軸移動部は、前記支持部の他側と結合され、前記第２軸方向に沿って形成され、前記サポートボディが前記第２軸方向に沿って移動可能に結合される第２のガイド部と、前記サポートボディを前記第２のガイド部に沿って移動させる第２の駆動部とを備える、請求項３に記載のフィルム検査装置。
【請求項５】
前記フィルム検査装置は、前記サポートボディと結合され、前記フィルムの一部を支持する第１のサポートロールと、前記サポートボディと結合され、前記第１のサポートロールと互いに離隔して前記フィルムの他の一部を支持する第２のサポートロールと、前記第１のサポートロール及び前記第２のサポートロールを前記サポートボディにそれぞれ結合し、前記第１のサポートロールと前記第２のサポートロールとの間の間隔を調節する結合部とをさらに備える、請求項１に記載のフィルム検査装置。
【請求項６】
前記フィルム検査装置は、前記フィルムの両側に互いに対向して設けられ、前記フィルムの幅によって前記フィルム検査装置の互いに対向するサポートロール間の間隔が調節される、請求項１に記載のフィルム検査装置。
【請求項７】
前記フィルム検査装置は、前記フィルムの上部で前記フィルムを撮影する撮影部をさらに備え、前記サポートロールは、前記撮影部が撮影した映像の明度値が予め設定された正常の範囲から逸脱する部分に移動して前記フィルムを支持する、請求項１に記載のフィルム検査装置。
【請求項８】
サポートボディと、前記サポートボディと結合され、第１軸方向に移送されるフィルムの下部で前記フィルムを支持し、３軸方向に移動可能に形成されるサポートロールと、前記フィルムの上部で前記フィルムを撮影する撮影部とを備え、前記サポートロールは、前記撮影部が撮影した映像の明度値が予め設定された正常の範囲から逸脱する部分に移動して前記フィルムを支持する、フィルム検査装置。
【請求項９】
請求項１乃至８のいずれか一項に記載のフィルム検査装置を用いたフィルム検査方法において、第１軸方向に移送されるフィルムの下部にサポートロールを接触させる段階と、前記フィルムの上部で前記フィルムを撮影する段階と、前記フィルムを撮影した映像の明度値が予め設定された正常の範囲から逸脱するか否かを確認する段階と、前記映像の明度値が予め設定された正常の範囲から逸脱する場合、前記サポートロールを移動させる段階とを備える、フィルム検査方法。
【請求項１０】
前記サポートロールを移動させる段階以後に、前記フィルムを撮影した映像の明度値が予め設定された正常の範囲内であるか否かを確認する段階と、さらに前記映像の明度値が予め設定された正常の範囲内である場合、前記サポートロールの移動を停止させ、前記フィルムの欠陥検査を再開する段階とをさらに備える、請求項９に記載のフィルム検査方法。
【請求項１１】
前記サポートロールを移動させる段階は、前記サポートロールを前記映像の明度値が予め設定された正常の範囲から逸脱する部分に移動させ、前記フィルムを支持する、請求項９に記載のフィルム検査方法。
【発明の詳細な説明】
【技術分野】
【０００１】
本発明は、フィルム検査技術に関するものであって、より詳しくは、所定方向に移送されるフィルムの外観を検査するフィルム検査装置及び方法に関するものである。
【背景技術】
【０００２】
光学検査システムとは、例えば、印刷回路基板、偏光フィルム、光学フィルム、位相差フィルム、異形フィルムなどの各種シート状製品の外観をカメラで撮影し、撮影した映像に基づいて該当製品に欠陥、埃、異物、及びムラなどの不良があるか否かを検出するシステムをいう。シート状製品は、一般的にロール・ツー・ロール（Roll-to-Roll）工程を通じて移動するようになるが、この場合、モーターの周期的な振動又は外部衝撃による不規則な振動が生じる可能性がある。また、シート状製品は、ロール間の移動の際にシート状製品の自重によって垂れが生じる。このように、シート状製品に振動又は垂れが生じる場合、シート状製品を撮影した映像にノイズが生じてシート状製品に不良があるか否かを正確に検出しにくいといった問題点がある。すなわち、シート状製品に振動又は垂れが生じる場合、シート状製品を撮影した映像の明度値（又はグレー値）が検査可能な範囲を逸脱してシート状製品に不良があるか否かを検出することが困難である。
【先行技術文献】
【特許文献】
【０００３】
【特許文献１】韓国公開特許第１０−２００３−００９３９５６号公報
【発明の概要】
【発明が解決しようとする課題】
【０００４】
本発明は、フィルムに振動又は垂れが生じてもフィルムに欠陥があるか否かを検査することができるフィルム検査装置及び方法を提供することを目的とする。
【課題を解決するための手段】
【０００５】
１．本発明の一実施形態によるフィルム検査装置は、サポートボディと、前記サポートボディと結合され、第１軸方向に移送されるフィルムの下部で前記フィルムを支持する少なくとも一つのサポートロールとを備える。
【０００６】
２．前記項目１において、前記フィルム検査装置は、前記サポートロールを第１軸方向に移動させる第１軸移動部と、前記サポートロールを前記第１軸方向と垂直する第２軸方向に移動させる第２軸移動部と、前記サポートロールを前記第１軸方向及び前記第２軸方向とそれぞれ垂直する第３軸方向に移動させる第３軸移動部とを備えることができる。
【０００７】
３．前記項目２において、前記第１軸移動部は、前記第１軸方向に沿って形成され、支持部の一側が前記第１軸方向に沿って移動可能に結合される第１のガイド部と、前記支持部を前記第１のガイド部に沿って移動させる第１の駆動部とを備えることができる。
【０００８】
４．前記項目３において、前記第２軸移動部は、前記支持部の他側と結合され、前記第２軸方向に沿って形成され、前記サポートボディが前記第２軸方向に沿って移動可能に結合される第２のガイド部と、前記サポートボディを前記第２のガイド部に沿って移動させる第２の駆動部とを備えることができる。
【０００９】
５．前記項目１において、前記フィルム検査装置は、前記サポートボディと結合され、前記フィルムの一部を支持する第１のサポートロールと、前記サポートボディと結合され、前記第１のサポートロールと互いに離隔して前記フィルムの他の一部を支持する第２のサポートロールと、前記第１のサポートロール及び前記第２のサポートロールを前記サポートボディにそれぞれ結合し、前記第１のサポートロールと前記第２のサポートロールとの間の間隔を調節する結合部とをさらに備えることができる。
【００１０】
６．前記項目１において、前記フィルム検査装置は、前記フィルムの両側に互いに対向して設けられ、前記フィルムの幅によって前記フィルム検査装置の互いに対向するサポートロール間の間隔を調節することができる。
【００１１】
７．前記項目１において、前記フィルム検査装置は、前記フィルムの上部において前記フィルムを撮影する撮影部をさらに備え、前記サポートロールは、前記撮影部が撮影した映像の明度値が予め設定された正常の範囲から逸脱する部分に移動して前記フィルムを支持することができる。
【００１２】
８．本発明の他の実施形態によるフィルム検査装置は、サポートボディと、前記サポートボディと結合され、第１軸方向に移送されるフィルムの下部で前記フィルムを支持し、３軸方向に移動可能に形成されるサポートロールと、前記フィルムの上部で前記フィルムを撮影する撮影部とを備え、前記サポートロールは、前記撮影部が撮影した映像の明度値が予め設定された正常の範囲から逸脱する部分に移動して前記フィルムを支持する。
【００１３】
９．本発明の一実施形態によるフィルム検査方法は、第１軸方向に移送されるフィルムの下部にサポートロールを接触させる段階と、前記フィルムの上部で前記フィルムを撮影する段階と、前記フィルムを撮影した映像の明度値が予め設定された正常の範囲から逸脱するか否かを確認する段階と、前記映像の明度値が予め設定された正常の範囲から逸脱する場合、前記サポートロールを移動させる段階とを備える。
【００１４】
１０．前記項目９において、前記サポートロールを移動させる段階以後に、前記フィルムを撮影した映像の明度値が予め設定された正常の範囲内であるか否かを確認する段階と、前記映像の明度値が予め設定された正常の範囲内である場合、前記サポートロールの移動を停止させ、前記フィルムの欠陥検査を再開する段階とをさらに備えることができる。
【００１５】
１１．前記項目９において、前記サポートロールを移動させる段階は、前記サポートロールを前記映像の明度値が予め設定された正常の範囲から逸脱する部分に移動させ、前記フィルムを支持することができる。
【発明の効果】
【００１６】
本発明によると、サポートロールを通じてフィルムに垂れ又は振動が生じた部分を支持することによって、フィルムに垂れ又は振動が生じても該当部分の映像の明度値を検査可能な正常の範囲に戻すことができ、これによってフィルムに欠陥があるか否かを正確に検査することができる。
【図面の簡単な説明】
【００１７】
【図１】本発明の一実施形態によるフィルム検査装置の平面図である。
【図２】本発明の一実施形態によるフィルム検査装置の正面図である。
【図３】本発明の一実施形態によるフィルム検査方法を示したフローチャートである。
【図４】フィルムに垂れが生じた場合と、フィルムをサポートロールで支持した場合との映像を比較した図である。
【発明を実施するための形態】
【００１８】
以下、図１〜４を参照して、本発明のフィルム検査装置及び方法の具体的な実施形態を説明する。しかしながら、これは例示としての実施形態に過ぎず、本発明は、これらに制限されるものではない。
【００１９】
本発明の説明において、本発明に係る公知技術に関する具体的な説明が本発明の要旨をかえって不明確にする可能性があると判断される場合は、その詳細な説明を省略することにする。そして、後述する用語は、本発明における機能を考慮して定義した用語であって、これは使用者、運用者の意図又は慣例などによって変わり得る。従って、この定義は、本明細書の全般にわたって記載された内容に基づいて行われるべきものである。
【００２０】
本発明の技術的思想は、特許請求の範囲の記載によって決められ、以下の実施形態は、進歩的な本発明の技術的思想を本発明が属する技術分野における通常の知識を有する者に効率的に説明するための一手段に過ぎない。
【００２１】
図１は、本発明の一実施形態によるフィルム検査装置の平面図であり、図２は、本発明の一実施形態によるフィルム検査装置の正面図である。
【００２２】
図１及び２を参照すると、フィルム検査装置１００は、サポートボディ１０２と、結合部１０４と、サポートロール１０６と、第１軸移動部１０８と、第２軸移動部１１０と、第３軸移動部１１２と、撮影部１１４とを備える。第１軸移動部１０８は、第１のガイド部１０８−１と、第１の駆動部１０８−２とを備える。第２軸移動部１１０は、第２のガイド部１１０−１と、第２の駆動部１１０−２とを備える。
【００２３】
ここで、フィルム５０は、例えば、FPCB（Flexible Printed Circuit Board）、偏光フィルム、光学フィルム、位相差フィルム、異形フィルム等のようなシート状の製品を含む。フィルム５０は、複数が互いに離隔されて配列された移送ロ−ル（図示しない）を通じてロール・ツー・ロール（Roll-to-Roll）方式で移送される。ここでは、フィルム５０がｘ軸方向に移送されるものとして示す。フィルム検査装置１００は、ｘ軸方向に移送されるフィルム５０の両側に設けられ得る。フィルム５０の両側にそれぞれ設けられるフィルム検査装置１００は、独立して動作することができる。しかしながら、これらに限定されるものではなく、フィルム検査装置１００は、フィルム５０の一側にのみ設けられ得る。フィルム検査装置１００は、移送ロ−ル（図示しない）と移送ロ−ル（図示しない）との間に形成され得る。フィルム検査装置１００の下部には、フィルム検査装置１００を支持するベース部（図示しない）が形成され得る。
【００２４】
サポートボディ１０２は、第２のガイド部１１０−１の上に形成され得る。サポートボディ１０２は、第２のガイド部１１０−１に沿って第２軸方向（例えば、ｙ軸方向）に移動することができる。サポートボディ１０２は、第１軸移動部１０８を通じて第１軸方向（例えば、ｘ軸方向）に移動することができる。また、サポートボディ１０２は、第３軸移動部１１２を通じて第３軸方向（例えば、ｚ軸方向）に移動することができる。これに関する詳しい説明は後述する。
【００２５】
結合部１０４は、サポートボディ１０２とサポートロール１０６とを結合する。ここで、サポートロール１０６は、第１のサポートロール１０６−１と、第２のサポートロール１０６−２とを備えることができる。この際、結合部１０４は、第１の結合部１０４−１と、第２の結合部１０４−２とを備えることができる。第１の結合部１０４−１及び第２の結合部１０４−２は、それぞれサポートボディ１０２の両側に形成され得る。第１の結合部１０４−１の一側は、サポートボディ１０２と結合され、第１の結合部１０４−１の他側は、第１のサポートロール１０６−１と結合される。第１の結合部１０４−１は、サポートボディ１０２の一側面でフィルム５０方向に折り曲げられて形成され得る。第２の結合部１０４−２の一側は、サポートボディ１０２と結合され、第２の結合部１０４−２の他側は、第２のサポートロール１０６−２と結合される。第２の結合部１０４−２は、サポートボディ１０２の他側面でフィルム５０方向に折り曲げられて形成され得る。第１の結合部１０４−１の一側及び第２の結合部１０４−２の一側は、それぞれサポートボディ１０２で引き込み及び引き出されるように形成され得る。この場合、第１のサポートロール１０６−１と第２のサポートロール１０６−２との間の間隔を調節することができる。
【００２６】
サポートロール１０６は、フィルム５０の下部でフィルム５０を支持する。サポートロール１０６は、結合部１０４を通じてサポートボディ１０２と結合されるため、サポートボディ１０２の移動の際にサポートボディ１０２と共に移動する。サポートボディ１０２は、３軸（ｘ軸、ｙ軸、ｚ軸）移動が可能であるため、サポートロール１０６もまた３軸方向に移動することができる。例えば、フィルム５０で垂れ部分が生じた場合、サポートロール１０６は、該当部分に移動してフィルム５０を支持することができる。ここでは、サポートロール１０６が第１のサポートロール１０６−１及び第２のサポートロール１０６−２を備えるものとして示したが、これに限定されるものではなく、サポートロール１０６は、一つ形成されてもよく、３つ以上形成されてもよい。また、第１の結合部１０４−１及び第２の結合部１０４−２の引き込み及び引き出し動作によって、第１のサポートロール１０６−１と第２のサポートロール１０６−２との間の間隔を調節することができる。
【００２７】
第１軸移動部１０８は、第１のガイド部１０８−１と、第１の駆動部１０８−２とを備える。第１のガイド部１０８−１は、第１軸方向（例えば、ｘ軸方向）に沿って形成される。すなわち、第１のガイド部１０８−１は、フィルム５０の移送方向に沿って形成される。第１のガイド部１０８−１上には、支持部１１６が結合される。支持部１１６の一側は、第１のガイド部１０８−１に沿って第１軸方向（すなわち、フィルム５０の移送方向又はフィルム５０の長さ方向）に移動するように第１のガイド部１０８−１と結合され得る。支持部１１６の他側は、第２のガイド部１１０−１と結合され得る。第１の駆動部１０８−２は、支持部１１６が第１のガイド部１０８−１に沿って第１軸方向に移動するように駆動力を提供する。
【００２８】
ここで、支持部１１６が第１軸方向に移動する場合、支持部１１６と結合された第２のガイド部１１０−１が第１軸方向に移動し、第２のガイド部１１０−１上に形成されたサポートボディ１０２が第１軸方向に移動し、サポートボディ１０２と結合するサポートロール１０６が１軸方向に移動する。このように、第１軸移動部１０８は、サポートロール１０６を第１軸方向に移動させる役割を果たす。
【００２９】
第２軸移動部１１０は、第２のガイド部１１０−１と第２の駆動部１１０−２とを備える。第２のガイド部１１０−１は、第１軸方向と垂直する方向である第２軸方向（例えば、ｙ軸方向）に沿って形成される。サポートボディ１０２は、第２のガイド部１１０−１に沿って第２軸方向（すなわち、フィルム５０の幅方向）に移動するように第２のガイド部１１０−１と結合され得る。第２の駆動部１１０−２は、サポートボディ１０２が第２のガイド部１１０−１に沿って第２軸方向に移動するように駆動力を提供する。ここで、サポートボディ１０２が第２軸方向に移動する場合、サポートボディ１０２と結合するサポートロール１０６が第２軸方向に移動する。このように、第２軸移動部１１０は、サポートロール１０６を第２軸方向に移動させる役割を果たす。
【００３０】
第３軸移動部１１２は、サポートボディ１０２と結合され、サポートボディ１０２を第３軸方向（例えば、ｚ軸方向）に移動させる役割を果たす。第３軸移動部１１２は、モーター（図示しない）を通じてサポートボディ１０２を第３軸方向に移動させることができる。しかしながら、これに限定されるものではなく、第３軸移動部１１２は、ピストン方式でサポートボディ１０２を第３軸方向に移動させることもできる。ここで、サポートボディ１０２が第３軸方向に移動する場合、サポートボディ１０２と結合するサポートロール１０６が第３軸方向に移動する。このように、第３軸移動部１１２は、サポートロール１０６を第３軸方向に移動させる役割を果たす。
【００３１】
撮影部１１４は、フィルム５０の上部でフィルム５０を撮影する。この際、フィルム５０に振動又は垂れが生じた場合、撮影部１１４が撮影した映像で該当部分の映像の明度値（又は映像グレー値）がフィルム５０に欠陥があるか否かについて検査することができる正常の範囲（例えば、映像グレー値が１２０〜１４０）から逸脱する。この際、第１軸移動部１０８、第２軸移動部１１０、及び第３軸移動部１１２を通じてサポートロール１０６を移動させて振動又は垂れが生じた部分でフィルム５０を支持する。この場合、フィルム５０の該当部分を撮影した映像の明度値は、検査可能な正常の範囲内となる。
【００３２】
本発明の実施形態によると、サポートロール１０６を３軸移動可能に形成することによって、フィルム５０で垂れ又は振動が生じた部分にサポートロール１０６を移動させてフィルム５０を支持する。フィルム５０に垂れ又は振動が生じても該当部分の映像の明度値を検査可能な正常の範囲に戻すことができ、これによってフィルム５０に欠陥があるか否かを正確に検査することができる。
【００３３】
図３は、本発明の一実施形態によるフィルム検査方法を示したフローチャートである。
【００３４】
図３を参照すれば、フィルム５０の両側に設けられた各フィルム検査装置１００のサポートロール１０６をフィルム５０の下部でフィルム５０の両側エッジ部にそれぞれ接触させる（Ｓ１０１）。フィルム５０のエッジ部に接触される位置がサポートロール１０６のホーム位置となり得る。しかしながら、サポートロール１０６のホーム位置はこれに限定されるものではなく、それ以外の他の位置に設定され得る。移送ロ−ル（図示しない）を通じて移送されるフィルム５０は、フィルム５０の種類及び機能によってその幅が互いに異なり得る。この際、フィルム５０の両側に設けられた各フィルム検査装置１００のサポートロール１０６を当該フィルム５０の幅によって第２軸方向（すなわち、フィルム５０の幅方向）に移動させてフィルム５０の両側エッジ部にそれぞれ接触させることができる。このように、フィルム検査装置１００は、様々な幅を有するフィルム５０にも全て適用することができる。
【００３５】
次に、撮影部１１４を通じてフィルム５０の上部でフィルム５０を撮影する（Ｓ１０３）。撮影部１１４は、移送ロ−ル（図示しない）を通じてｘ軸方向に移送されるフィルム５０を連続して（又は周期的に）撮影することができる。
【００３６】
次いで、撮影部１１４が撮影した映像の明度値が正常の範囲から逸脱するか否かを確認する（Ｓ１０５）。ここで、映像の明度値の正常の範囲は、撮影映像を通じてフィルム５０に欠陥があるか否かを検査することができる程度の明度値範囲を意味するものであり、例えば、映像の明度値の正常の範囲は、映像グレー値で１２０〜１４０であり得る。
【００３７】
段階Ｓ１０５の確認結果、映像の明度値が正常の範囲を逸脱した場合、サポートロール１０６を移動させる（Ｓ１０７）。すなわち、映像の明度値が正常の範囲を逸脱したときには、フィルム５０に振動又は垂れが生じた場合であるため、サポートロール１０６を通じて該当部分を支持するためにサポートロール１０６を移動させる。
【００３８】
次に、サポートロール１０６を移動させた結果、撮影部１１４が撮影した映像の明度値が正常の範囲内であるか否かを確認する（Ｓ１０９）。
【００３９】
段階Ｓ１０９の確認結果、映像の明度値が正常の範囲内である場合、サポートロール１０６の移動を停止させ、撮影部１１４が撮影した映像を通じてフィルム５０の欠陥を検査する作業を再開する（Ｓ１１１）。段階Ｓ１０９の確認の結果、映像の明度値が正常の範囲ではない場合、映像の明度値が正常の範囲内になるまでサポートロール１０６を移動させてフィルム５０に振動又は垂れが生じた部分を、サポートロール１０６を通じて支持する。
【００４０】
具体的には、第２軸移動部１１０を通じてサポートロール１０６を第２軸方向（すなわち、フィルム５０の幅方向）に徐々に移動させることができる。すなわち、フィルム５０の両側エッジ部に位置した各サポートロール１０６をフィルム５０の中心に向かって徐々に移動させることができる。ここで、サポートロール１０６を第２軸方向に移動させた結果、映像の明度値が正常の範囲内である場合、サポートロール１０６の移動を停止させ、フィルム５０の欠陥検査作業を再開する。一方、サポートロール１０６を第２軸方向に最後まで移動させても映像の明度値が正常の範囲内にならない場合、サポートロール１０６を第３軸方向（すなわち、ｚ軸方向）に所定高さ上昇させた後、さらに第２軸方向に移動させながら映像の明度値が正常の範囲内になるか否かを確認することができる。しかしながら、これに限定されるものではなく、必要に応じてサポートロール１０６を第１軸方向（すなわち、フィルム５０の移送方向）に移動させることもできる。
【００４１】
図４は、フィルムに垂れが生じた場合とフィルムをサポートロールで支持した場合との映像を比較した図である。
【００４２】
図４（ａ）を参照すれば、フィルム５０に垂れが生じた場合、撮影映像の明度が低いため、検査可能な正常の範囲から逸脱することが認められる。一方、図４（ｂ）を参照すれば、フィルム５０に垂れが生じた部分をサポートロール１０６で支持した場合、撮影映像の明度を検査可能な正常の範囲内に戻したことが分かる。
【００４３】
以上、代表的な実施形態を通じて本発明について詳細に説明したが、本発明が属する技術分野における通常の知識を有する者は、詳述した実施形態について本発明の範疇から外れない範囲内で様々な変形が可能であることを理解しなければならない。従って、本発明の権利範囲は説明された実施形態に限定して定めるべきではなく、後述する特許請求の範囲のみならず、この特許請求の範囲と均等なものなどによって定められるべきである。
【符号の説明】
【００４４】
１００：フィルム検査装置
１０２：サポートボディ
１０４：結合部
１０４−１：第１の結合部
１０４−２：第２の結合部
１０６：サポートロール
１０６−１：第１のサポートロール
１０６−２：第２のサポートロール
１０８：第１軸移動部
１０８−１：第１のガイド部
１０８−２：第１の駆動部
１１０：第２軸移動部
１１０−１：第２のガイド部
１１０−２：第２の駆動部
１１２：第３軸移動部
１１４：撮影部
１１６：支持部
【図１】
2015129754.tif 000003
【図２】
2015129754.tif 000004
【図３】
2015129754.tif 000005
【図４】
2015129754.tif 000006